(57)【要約】【課題】開口部の有無に関わらず収納部を設けることができ、収納部の構造の簡素化および省部材化を図ることが可能な洗面所を提供することを目的とする。【解決手段】洗面所１が、中央壁部２と、中央壁部２の両側端部に互いに対向して設けられる側壁部３，３と、両側壁部３，３間にその背面が中央壁部２に接するようにして設けられる洗面台４と、を備える。洗面台４の上方には複数段の棚板８，９，１０，１１が両側壁部３，３間に架け渡されて配置され、複数段の棚板８，９，１０，１１には収納スペースを左右に仕切る仕切板１２が設けられ、複数段の棚板８，９，１０，１１の前端部側には前面が鏡面１３ａとされた一枚の引戸１３が設けられる。引戸１３は、幅寸法が仕切板１２と一方の側壁部３との間隔と略等しく設定され、高さ寸法が最上段の棚板８と最下段の棚板１１との間隔と略等しく設定されている。【選択図】図１
2014068993.tif 000002
【特許請求の範囲】
【請求項１】
中央壁部と、前記中央壁部の両側端部に互いに対向して設けられる側壁部と、前記両側壁部間にその背面が前記中央壁部に接するようにして設けられる洗面台と、を備える洗面所において、
前記洗面台の上方には複数段の棚板が前記両側壁部間に架け渡されて配置され、
前記複数段の棚板には該複数段の棚板間の収納スペースを左右に仕切る仕切板が設けられ、
前記複数段の棚板の前端部側には、該複数段の棚板の長さ方向に沿ってスライド可能とされ、かつ前面が鏡面とされた一枚の引戸が設けられており、
前記引戸は、幅寸法が前記仕切板と一方の前記側壁部との間隔と略等しく設定され、高さ寸法が最上段の前記棚板と最下段の前記棚板との間隔と略等しく設定されていることを特徴とする洗面所。
【請求項２】
請求項１に記載の洗面所において、
前記複数段の棚板の前端部は前記仕切板の前端部よりも前方に突出しており、
前記複数段の棚板のうち何れかの棚板の前端部は前記引戸用のレールが取り付けられるレール取付部とされていることを特徴とする洗面所。
【請求項３】
請求項２に記載の洗面所において、
前記引戸の両側端部の後面に引手が設けられていることを特徴とする洗面所。
【請求項４】
請求項２または３に記載の洗面所において、
前記複数段の棚板のうち最下段の棚板の前端部は前記引戸の前面よりも前方に突出しており、
前記最下段の棚板の直上に位置する棚板の前端部が前記レール取付部とされていることを特徴とする洗面所。
【請求項５】
請求項４に記載の洗面所において、
前記両側壁部間に、前記洗面台に隣接し、かつ前記最下段の棚板の下方に位置するようにして洗濯機が設置され、
前記両側壁部間において前記洗面台は前記仕切板の一方側に配置され、前記洗濯機は他方側に配置されており、
前記最下段の棚板は、前記仕切板の他方側の部位が前記仕切板の一方側の部位に対して着脱自在に構成されていることを特徴とする洗面所。
【請求項６】
請求項１〜５のいずれか一項に記載の洗面所において、
前記複数段の棚板の後端部に、幅寸法および高さ寸法が前記引戸と略等しく設定された調整板が取り付けられていることを特徴とする洗面所。
【発明の詳細な説明】
【技術分野】
【０００１】
本発明は、洗面所に関する。
【背景技術】
【０００２】
特許文献１に記載のように、壁の厚さ方向に貫通して形成された窓としての開口部内に配置されるとともに、この開口部の内周面に固定される箱物家具調の収納棚を備えた洗面所についての技術が知られている。そして、収納棚と開口部とが共に壁の同じ場所に設けられるので、洗面所内のスペースの有効利用を図ることが可能となっている。
また、収納棚は複数段の棚板を備え、これら複数段の棚板は開口部の形状や窓枠の大きさ、開口部が形成された壁の形状に合わせた寸法・形状となっている。
【先行技術文献】
【特許文献】
【０００３】
【特許文献１】特開２０１１−２２６１２８号公報
【発明の概要】
【発明が解決しようとする課題】
【０００４】
ところで、特許文献１に記載のような箱物家具調の収納棚を開口部の有無に関わらず洗面所に設置したいという要望がある。
ところが、収納棚は上述のように開口部や窓枠、壁の形状に対応したものであるため、窓付近の構造が異なる他の洗面所にも共通して設置するのが困難である。さらに、収納棚を構成する各部材の加工が複雑化したり、使用する部材の量や種類が増えたりして、収納棚自体の構造が複雑化する場合もある。
【０００５】
本発明の課題は、開口部の有無に関わらず収納部を設けることができ、収納部の構造の簡素化および省部材化を図ることが可能な洗面所を提供することを目的とする。
【課題を解決するための手段】
【０００６】
請求項１に記載の発明は、例えば図１〜図４に示すように、中央壁部２と、前記中央壁部２の両側端部に互いに対向して設けられる側壁部３，３と、前記両側壁部３，３間にその背面が前記中央壁部２に接するようにして設けられる洗面台４と、を備える洗面所１において、
前記洗面台４の上方には複数段の棚板８，９，１０，１１が前記両側壁部３，３間に架け渡されて配置され、
前記複数段の棚板８，９，１０，１１には該複数段の棚板８，９，１０，１１間の収納スペースを左右に仕切る仕切板１２（１２…）が設けられ、
前記複数段の棚板８，９，１０，１１の前端部側には、該複数段の棚板８，９，１０，１１の長さ方向に沿ってスライド可能とされ、かつ前面が鏡面１３ａとされた一枚の引戸１３が設けられており、
前記引戸１３は、幅寸法が前記仕切板１２（１２…）と一方の前記側壁部３との間隔と略等しく設定され、高さ寸法が最上段の前記棚板８と最下段の前記棚板１１との間隔と略等しく設定されていることを特徴とする。
【０００７】
請求項１に記載の発明によれば、前記複数段の棚板８，９，１０，１１は前記洗面台４の上方に前記両側壁部３，３間に架け渡されて配置されているので、前記中央壁部２に開口部（例えば開口部７）が形成されていても、また形成されていなくても前記洗面所１内に収納部を設けることができる。すなわち、前記中央壁部２と前記側壁部３，３と前記洗面台４とを備えていれば前記中央壁部２付近の構造が異なる他の洗面所であっても、共通して前記複数段の棚板８，９，１０，１１を設けることができるので汎用性に優れる。
さらに、前記中央壁部２に窓等の開口部を設けたとしても、該開口部の形状や窓枠の大きさ、該開口部が形成される前記中央壁部２の形状等に関わりなく、前記複数段の棚板８，９，１０，１１を前記両側壁部３，３間に架け渡すことができる。これによって、前記各部材８〜１３によって構成される前記収納部の構造の簡素化および省部材化を図ることが可能となる。
また、前記仕切板１２（１２…）によって前記複数段の棚板８，９，１０，１１間の収納スペースを左右に仕切ることができるので、前記仕切板１２（１２…）の一方側を前記引戸１３で開閉できる箱状の収納部とすることができ、前記仕切板１２（１２…）の他方側をオープン型収納部とすることができる。
【０００８】
請求項２に記載の発明は、例えば図２，図３に示すように請求項１に記載の洗面所１において、
前記複数段の棚板８，９，１０，１１の前端部は前記仕切板１２（１２…）の前端部よりも前方に突出しており、
前記複数段の棚板８，９，１０，１１のうち何れかの棚板（例えば棚板８，１０）の前端部は前記引戸１３用のレール１７，１８が取り付けられるレール取付部１７ａ，１８ａとされていることを特徴とする。
【０００９】
請求項２に記載の発明によれば、前記複数段の棚板８，９，１０，１１の前端部が前記仕切板１２（１２…）の前端部よりも前方に突出し、該突出した部分が前記レール取付部１７ａ，１８ａとされているので、前記引戸１３を前記複数段の棚板８，９，１０，１１の前端部側に設けた状態で前記複数段の棚板８，９，１０，１１の長さ方向に沿ってスライドさせることが可能となる。
また、前記仕切板１２（１２…）の前端部よりも前方に突出した位置に設けられる前記複数段の棚板８，９，１０，１１の前端部側に前記引戸１３が設けられるため、前記引戸１３の後面と前記仕切板１２（１２…）の前端部との間に隙間Ｓを形成することができる。これによって、前記引戸１３で前記仕切板１２（１２…）の一方側の収納スペースを閉塞したとしても内部に通気できる。
【００１０】
請求項３に記載の発明は、例えば図１〜図３，図６に示すように、請求項２に記載の洗面所１において、
前記引戸１３の両側端部の後面に引手１３ｄ，１３ｄ（１３ｅ，１３ｅ）が設けられていることを特徴とする。
【００１１】
請求項３に記載の発明によれば、前記引戸１３の両側端部の後面に引手１３ｄ，１３ｄ（１３ｅ，１３ｅ）が設けられているので、前記引戸１３の後面と前記仕切板１２（１２…）の前端部との隙間Ｓから手指を差し入れ、指先を前記引手１３ｄ，１３ｄ（１３ｅ，１３ｅ）に引っ掛けるようにして前記引戸１３のスライド操作を行うことができる。
これによって、例えば前記引戸１３の鏡面１３ａに手を触れて該引戸１３を操作する場合に比して、前記引戸１３の操作を容易に行うことができるとともに、前記鏡面１３ａに触れることなく前記引戸１３をスライドさせることができる。
【００１２】
請求項４に記載の発明は、例えば図１〜図３に示すように、請求項２または３に記載の洗面所１において、
前記複数段の棚板８，９，１０，１１のうち最下段の棚板１１の前端部は前記引戸１３の前面よりも前方に突出しており、
前記最下段の棚板１１の直上に位置する棚板１０の前端部が前記レール取付部１８ａとされていることを特徴とする。
【００１３】
請求項４に記載の発明によれば、前記最下段の棚板１１の直上に位置する棚板１０の前端部が前記レール取付部１８ａとされているので、前記引戸１３は、前記最下段の棚板１１によって支持されるのではなく、他の前記複数段の棚板８，９，１０（例えば棚板８，１０）によって吊られる吊戸として機能することになる。
これによって、前記引戸１３の前面よりも前方に突出する前記最下段の棚板１１の前端部を、例えば物を置くためのスペースや物を掛けるためのスペースとして利用できるので、機能性に優れる。また、前記最下段の棚板１１の上面を段差がない比較的広い収納スペースとして利用することができる。
【００１４】
請求項５に記載の発明は、例えば図１〜図５に示すように、請求項４に記載の洗面所１において、
前記両側壁部３，３間に、前記洗面台４に隣接し、かつ前記最下段の棚板１１の下方に位置するようにして洗濯機５０が設置され、
前記両側壁部３，３間において前記洗面台４は前記仕切板１２（１２…）の一方側に配置され、前記洗濯機５０は他方側に配置されており、
前記最下段の棚板１１は、前記仕切板１２（１２…）の他方側の部位１１ｂが前記仕切板１２（１２…）の一方側の部位１１ａに対して着脱自在に構成されていることを特徴とする。
【００１５】
請求項５に記載の発明によれば、前記最下段の棚板１１は、前記仕切板１２（１２…）の他方側の部位１１ｂが前記仕切板１２（１２…）の一方側の部位１１ａに対して着脱自在に構成されているので、前記洗濯機５０の洗濯物出し入れ口（例えば洗濯物出し入れ口５０ａ）の向きに応じて前記最下段の棚板１１の前記他方側の部位１１ｂを取り外したり、取り付けたりすることができる。
すなわち、前記洗濯機５０の洗濯物出し入れ口が上端部に設けられる場合には前記最下段の棚板１１の前記他方側の部位１１ｂを取り外せば、洗濯物の出し入れが容易になる。また、前記洗濯機５０の洗濯物出し入れ口が前面側に設けられる場合には前記最下段の棚板１１の前記他方側の部位１１ｂを取り付けておくことで、該他方側の部位１１ｂの上面を収納スペースとして利用することができる。
【００１６】
請求項６に記載の発明は、例えば図２，図３に示すように、請求項１〜５のいずれか一項に記載の洗面所１において、
前記複数段の棚板８，９，１０，１１の後端部に、幅寸法および高さ寸法が前記引戸１３と略等しく設定された調整板１４が取り付けられていることを特徴とする。
【００１７】
請求項６に記載の発明によれば、前記調整板１４によって前記複数段の棚板８，９，１０，１１の後端部と前記中央壁部２との間に隙間を形成できるので、前記中央壁部２のうち前記隙間が形成される部位に窓等の開口部（例えば開口部７）を設けたとしても、該窓の開閉も容易に行うことができ、前記開口部に設けられる開口枠と前記複数段の棚板８，９，１０，１１とが干渉し合うことも防ぐことができる。また、このように前記中央壁部２に開口部を形成できれば、前記洗面所１の採光性を向上できるので好ましい。
【発明の効果】
【００１８】
本発明によれば、開口部の有無に関わらず収納部を設けることができ、収納部の構造の簡素化および省部材化を図ることが可能となる。
【図面の簡単な説明】
【００１９】
【図１】本発明に係る洗面所を示す正面図である。
【図２】図１におけるＡ−Ａ断面図である。
【図３】同、Ｂ−Ｂ断面図である。
【図４】同、Ｃ−Ｃ断面図である。
【図５】最下段の棚板の着脱形態を示す斜視図である。
【図６】引戸の他の実施例を示す斜視図である。
【発明を実施するための形態】
【００２０】
以下、図面を参照して本発明の実施の形態について説明する。
本発明に係る洗面所を備える建物は、壁や床、屋根といった建物の構成要素を予め工場にてパネル化しておき、施工現場でこれらのパネルを組み立てるという周知のパネル工法によって構築されている。
【００２１】
図１において符号１は洗面所を示す。この洗面所１は図示しない浴室に隣接し、建物内に配設されている。そして、この洗面所１は、中央壁部２と、前記中央壁部２の両側端部に互いに対向して設けられる側壁部３，３と、前記両側壁部３，３間にその背面が前記中央壁部２に接するようにして設けられる洗面台４と、を備える。
なお、前記中央壁部２に対向する壁または前記両側壁部３，３のいずれかの図示しない部位に洗面所１と浴室との出入口、洗面所１と建物内の他の場所との出入口が設けられている。また、前記中央壁部２と、前記両側壁部３，３と、前記中央壁部２と対向する壁は洗面所１の床５と天井６との間に立設されている。
【００２２】
前記中央壁部２は外壁であって外部に面しており、図１，図３，図４に示すように、本実施の形態においては該中央壁部２を厚さ方向に貫通して一つの開口部７が形成されている。また、この開口部７は正面視において前記中央壁部２の右上に配置されている。
前記開口部７は窓として利用されるものであり、その内周面に沿って開口枠７ａが取り付けられ、この開口枠７ａ内にガラス等の透光性面材を有する引き違い式の建具７ｂ，７ｂが設けられている。なお、前記開口枠７ａの洗面所１側端部は、前記洗面所１側に若干突出している。
【００２３】
前記側壁部３，３は前記中央壁部２に対して直交する方向に配置されている。また、本実施の形態においては外部側には配置されないものとするが、これに限られるものではない。したがって、前記洗面所１において前記中央壁部２と前記両側壁部３，３は平面視凹状に配置されている。前記洗面台４や後述する複数段の棚板８，９，１０，１１等は、当該凹状空間に配置されることになる。
前記両側壁部３，３のうち一方の側壁部３は正面視において左側に配置されており、他方の側壁部３は正面視において右側に配置されている
【００２４】
前記洗面台４は、図２，図４に示すように背面が前記中央壁部２に接しており、図１，図３，図４に示すように一方の側面が前記一方の側壁部３に接している。
また、前記洗面台４の幅寸法は、前記両側壁部３，３間の間隔よりも短く設定されている。本実施の形態においては該両側壁部３，３間の間隔の半分程度に設定されている。また、高さ寸法は前記床５と前記天井６との間の天井高よりも低く設定されている。本実施の形態においては該天井高の半分未満に設定されている。すなわち、この洗面台４は正面視において前記中央壁部２の左下に配置されている。
【００２５】
また、図１，図３，図４に示すように、前記両側壁部３，３間に、前記洗面台４に隣接し、かつ前記複数段の棚板８，９，１０，１１のうち最下段の棚板１１の下方に位置するようにして洗濯機５０が設置されている。
本実施の形態の洗濯機５０は洗濯物出し入れ口５０ａが前面側に設けられるタイプのものである。また、その大きさは前記洗面台４と並んで前記両側壁部３，３間に収まる程度の大きさに設定されている。この洗濯機５０は正面視において前記中央壁部２の右下に配置されている。すなわち、前記両側壁部３，３間において前記洗面台４は後述する仕切板１２の一方側（左）に配置され、前記洗濯機５０は他方側（右）に配置されている。
なお、前記洗濯機５０は、前記洗濯物出し入れ口５０ａが前面側に設けられるものとしたが、これに限られるものではなく、前記洗濯機５０の上端部に設けられるものとしてもよい。
【００２６】
また、前記洗面台４は略箱状に形成されており、図１〜図４に示すように側板４０と、正面板４１と、底板４２と、奥板４３と、各配管４４ａ，４４ｂ，４４ｃと、配管収納部４５と、洗面ボウル４６と、蛇口４７と、引出４８，４９と、を備える。
また、前記洗面台４は前記洗面ボウル４６および前記蛇口４７を除く表面に木目が表れている。
【００２７】
前記側板４０は前記洗面台４の両側部に設けられており、前記洗面台４の側面を形成している。また、前記洗面台４を構成する多くの部材は該両側板４０，４０に固定されたり、架け渡されたりして設けられている。
【００２８】
前記正面板４１は、前記両側板４０，４０の前端部の上端部および中央部にそれぞれ設けられている。これら上側の正面板４１と中央の正面板４１との間に前記引出４８が設けられ、中央の正面板４１の下方に前記引出４９が設けられている。すなわち、これら正面板４１，４１には前記引出４８，４９の前面板の裏面が当接するようになっている。
【００２９】
前記底板４２は、前記床５から上方に間隔をあけて水平に配置され、前記両側板４０，４０間に架設されている。
また、前記奥板４３は、前記底板４２の後端部に設けられており、前記洗面台４の底部付近を、洗面台４内部空間と洗面台４外部空間とに仕切っている。これによって、前記底板４２の下方を、例えば体重計や洗面用具等を収納する収納部として利用できる。
【００３０】
各配管４４ａ，４４ｂ，４４ｃは前記洗面台４の後端部側に寄せて配置されている。前記配管４４ａは給水管であり、前記配管４４ｂは排水管であり、前記配管４４ｃは洗濯水栓である。なお、前記洗濯水栓４４ｃは図示しない給水管に接続されている。
【００３１】
そして、前記洗面台４のうち後端部側が前記配管収納部４５とされている。この配管収納部４５は、天板４５ａと、洗面台仕切板４５ｂと、複数の固定板４５ｃ…とを有する。
前記天板４５ａは、前記洗面ボウル４６の上面部よりも一段高い位置に配置され、前記複数の固定板４５ｃ，４５ｃによって支持されるとともに前記両側板４０，４０間に架設されている。
前記洗面台仕切板４５ｂは、前記配管収納部４５の前側部に配置され、上下端部が前記複数の固定板４５ｃ，４５ｃによって支持されている。そして、前記洗面台４の内部空間を前記引出４８，４９側と前記配管収納部４５側に仕切っている。
前記複数の固定板４５ｃ…は前記配管収納部４５の上下端部の前端側および後端側に位置するようにして前記両側板４０，４０間に架設されている。
【００３２】
前記洗面ボウル４６は、前記配管収納部４５の前方側に位置するようにして前記両側板４０，４０間に架設されている。また、この洗面ボウル４６のボウル底部には排水口が設けられており、この排水口は前記排水管４４ｂに接続されている。
また、前記蛇口４７は、前記洗面ボウル４６の上部に設けられており、前記給水管４４ａに接続されている。
【００３３】
そして、図１〜図５に示すように、前記洗面台４および前記洗濯機５０の上方には前記複数段の棚板８，９，１０，１１が前記両側壁部３，３間に架け渡されて配置されている。
また、前記複数段の棚板８，９，１０，１１には、該複数段の棚板８，９，１０，１１間の収納スペースを左右に仕切る仕切板１２が設けられている。
また、前記複数段の棚板８，９，１０，１１の前端部側には、該複数段の棚板８，９，１０，１１の長さ方向に沿ってスライド可能とされ、かつ前面が鏡面１３ａとされた一枚の引戸１３が設けられている。
また、前記複数段の棚板８，９，１０，１１の後端部には、幅寸法および高さ寸法が前記引戸１３と略等しく設定された調整板１４が取り付けられている。
さらに、前記複数段の棚板８，９，１０，１１には、前記一方の側壁部３に接する側板１５が設けられている。
【００３４】
前記複数段の棚板８，９，１０，１１は前記両側壁部３，３間の間隔と略等しい長さに設定された矩形板材である。
前記複数段の棚板８，９，１０，１１は、図１，図２に示すように、上下方向に間隔をあけて配置されている。前記棚板８は最上段、前記棚板９は上から二番目、前記棚板１０は上から三番目または下から二番目、前記棚板１１は最下段の棚板とされている。
なお、本実施の形態においては、隣り合う前記棚板９，１０間の間隔と、隣り合う前記棚板１０，１１間の間隔とが略等しく設定されている。また、隣り合う前記棚板８，９間の間隔は、前記棚板９，１０間の間隔よりも若干短く設定されている。
【００３５】
また、本実施の形態において前記複数段の棚板８，９，１０，１１のうち、前記複数段の棚板８，９，１０は両端部が、断面Ｌ字状に形成されたＬアングル材を介して前記両側壁部３，３に対して固定されている。なお、前記Ｌアングル材は図示しないが、後述する支持アングル材１１ｅと略同様に構成されている。
すなわち、前記Ｌアングル材の垂直板部がビス等により前記両側壁部３，３のそれぞれに固定される。また、前記Ｌアングル材の水平板部に前記複数段の棚板８，９，１０の端部が載置され、該端部がビス等により前記水平板部に対して固定される。
【００３６】
一方、前記棚板１１は、前記仕切板１２の他方側の部位１１ｂが前記仕切板１２の一方側の部位１１ａに対して着脱自在に構成されている。
すなわち、前記最下段の棚板１１は前記洗面所１の一方側（左側）に配置される固定側棚板１１ａと、前記洗面所１の他方側（右側）に配置される着脱側棚板１１ｂと、を有する。さらに、該棚板１１は、前記着脱側棚板１１ｂを前記固定側棚板１１ａに隣接する位置に保持しておくための棚板保持手段を有する。
【００３７】
前記固定側棚板１１ａは、前記一方の側壁部３と前記調整板１４とに固定されている。また、前記仕切板１２に対して固定されていてもよい。なお、その固定方法は特に限定されるものではなく、ビス止め、接着など様々な方法のうちのいずれを採用してもよい。
また、前記固定側棚板１１ａの下面には、図示しない電源に接続された照明器具１６が埋め込み設置されている。
【００３８】
前記着脱側棚板１１ｂは、前記棚板保持手段によって前記固定側棚板１１ａに隣接する位置に保持される。すなわち、前記着脱側棚板１１ｂは、前記棚板保持手段によって保持される際は、前記固定側棚板１１ａの長さ方向に沿って、かつ正面視また平面視において前記固定側棚板１１ａと同一直線上に配置される。
前記着脱側棚板１１ｂの幅寸法は、前記固定側棚板１１ａの端部と前記他方の側壁部３との間隔と略等しいか、または若干短くなるように設定されている。
【００３９】
前記棚板保持手段は、前記固定側棚板１１ａと前記着脱側棚板１１ｂとの間に設けられる複数のダボ材１１ｃ…と、前記他方の側壁部３に固定される支持アングル材１１ｅとを備える。
本実施の形態において前記複数のダボ材１１ｃ…は、前記固定側棚板１１ａの端部に固定されている。また、前記着脱側棚板１１ｂの固定側棚板１１ａ側の端部には前記複数のダボ材１１ｃ…に対応する複数のダボ穴１１ｄ…が形成されている。
前記支持アングル材１１ｅは断面Ｌ字状に形成されており、垂直板部１１ｆが前記他方の側壁部３にビス固定される。また、水平板部１１ｇに前記着脱側棚板１１ｂの端部が載置される。
【００４０】
取り外された状態の前記着脱側棚板１１ｂを取り付けるには、まず、前記着脱側棚板１１ｂの後端部を前記中央壁部２の表面に沿わせるながら、前記着脱側棚板１１ｂの前記他方の側壁部３側の端部が前記一方の側壁部３側の端部よりも上方に位置するようにして、該着脱側棚板１１ｂを傾ける。
次に、前記ダボ穴１１ｄ…に前記ダボ材１１ｃ…を嵌め合わせながら、前記着脱側棚板１１ｂの端部を前記固定側棚板１１ａの端部の位置と合わせる。
次に、前記着脱側棚板１１ｂの前記他方の側壁部３側の端部を徐々に下げながら、さらに深く前記ダボ穴１１ｄ…に前記ダボ材１１ｃ…を嵌め合わせる。この動作を続けて、最終的には前記着脱側棚板１１ｂの前記他方の側壁部３側の端部を前記支持アングル材１１ｅの水平板部１１ｇに載置する。
このようにして状態保持された前記着脱側棚板１１ｂを取り外すには、前記着脱側棚板１１ｂの前記他方の側壁部３側の端部を徐々に上げながら、前記ダボ穴１１ｄを前記ダボ材１１ｃ…から徐々に外すようにすればよい。
【００４１】
続いて、前記仕切板１２は、前記収納スペースを左右に仕切るものであるため、図２に示すように、前記複数段の棚板８，９，１０，１１のうち前記隣り合う棚板８，９間、前記隣り合う棚板９，１０間、前記隣り合う棚板１０，１１間に設けられている。
すなわち、本実施の形態において前記仕切板１２は複数であり、前記隣り合う棚板８，９間、前記隣り合う棚板９，１０間、前記隣り合う棚板１０，１１間のそれぞれに一つずつ設けられていることになる。これら複数の仕切板１２，１２，１２は上下方向に隣り合うように、かつ同一直線上に配置されている。
【００４２】
さらに、これら複数の仕切板１２は前記洗面台４の前記側板４０，４０のうち洗面所中央側の側板４０の上方に配置されている。
また、これら複数の仕切板１２…は、前記複数段の棚板８，９，１０，１１に対して固定されている。また、前記調整板１４に対しても固定されている。その固定方法は特に限定されるものではなく、ビス止め、接着、ダボ等による固定など様々な方法のうちのいずれを採用してもよい。
【００４３】
なお、前記仕切板１２を一枚とする場合には、前記複数段の棚板８，９，１０，１１との交差部分に互いに切欠部を形成するなどして、前記仕切板１２も、前記棚板８，９，１０（１１）もそれぞれ一枚で済むように組む必要がある。
【００４４】
続いて、前記引戸１３は、図１，図２に示すように、幅寸法が前記複数の仕切板１２…と前記一方の側壁部３との間隔と略等しく設定されている。また、高さ寸法が最上段の前記棚板８と最下段の前記棚板１１との間隔と略等しく設定されている。
前記引戸１３は、引戸本体１３ｂと、この引戸本体１３ｂの前面の全面に設けられて前記鏡面１３ａを構成する鏡と、前記引戸１３を後述するレール１７，１８に沿ってスライドさせるための引戸金物１３ｃ，１３ｃとを有する。
【００４５】
また、前記引戸１３は、該引戸１３の両側端部の後面に設けられ、前記引戸１３をスライドさせる人の手指を引っ掛けるための引手１３ｄ，１３ｄをさらに有する。すなわち、前記引戸本体１３ｂの両側端部の後面に、正面視において長円状の窪みがそれぞれ形成されており、該窪みが前記引手１３ｄ，１３ｄとされている。なお、前記窪みに対して引手金具（図示せず）を設けるようにしてもよい。
【００４６】
なお、本実施の形態においては前記引手１３ｄ，１３ｄを正面視長円状の窪み、または引手金具が設けられた窪みとしたが、これに限られるものではない。
すなわち、図６に示すように、前記引戸本体１３ｂのの両側端部の後面に、該引戸本体１３ｂの上端部から下端部にかけて溝１３ｅ，１３ｅがそれぞれ形成されていてもよい。これら溝１３ｅ，１３ｅは平面視または平断面視において半円状に形成され、上端部は上方に、下端部は下方に開放されている。
このような溝１３ｅ，１３ｅを前記引戸１３の両側端部の後面それぞれに形成すれば、人の手指を引っ掛ける位置が上下方向に沿って設けられることになるので、前記引戸１３の操作性を向上できる。
【００４７】
そして、このような引戸１３は、図２に示すように、該引戸１３用のレール１７，１８に沿って前記複数段の棚板８，９，１０，１１の長さ方向に沿ってスライド可能とされている。
すなわち、前記複数段の棚板８，９，１０，１１の前端部は前記仕切板１２…の前端部よりも前方に突出しており、前記最上段の棚板８の前端部と、前記下から二番目の棚板１０の前端部とが前記レール１７，１８が取り付けられるレール取付部１７ａ，１８ａとされている。
なお、前記仕切板１２…の前端部よりも前方に突出した位置に設けられる前記複数段の棚板８，９，１０，１１の前端部側に前記引戸１３が設けられるため、前記引戸１３の後面と前記仕切板１２…の前端部との間には隙間Ｓが形成されている。
【００４８】
より詳細に説明すると、前記レール１７は前記最上段の棚板８の前端部上面に、該棚板８の長さ方向に沿って設けられている。また、前記レール１８は前記下から二番目の棚板１０の前端部下面に設けられている。
また、前記引戸１３の前記引戸金物１３ｃ，１３ｃは前記レール１７，１８と係合可能に構成されている。すなわち、前記引戸金物１３ｃ，１３ｃは前記引戸本体１３ｂの後面の上端部と下端部にそれぞれ固定されている。さらに、これら引戸金物１３ｃ，１３ｃの先端部は図２に示すように断面視略鉤状に形成され、上側の引戸金物１３ｃの先端部が前記レール１７の上向きの溝部に係合し、下側の引戸金物１３ｃの先端部が前記レール１８の下向きの溝部に係合した状態となっている。
したがって、前記引戸１３は、前記最下段の棚板１１によって支持されるのではなく、前記最上段の棚板８と前記下から二番目の棚板１０とによって吊られる吊戸として機能することになる。
【００４９】
また、前記引戸１３が上述のように吊戸として機能しているため、前記最下段の棚板１１は、他の前記棚板８，９，１０と等しい大きさにする必要がない。本実施の形態においては、前記最下段の棚板１１は、図２，図３，図５に示すように、その前端部が前記引戸１３の前面よりも前方に突出している。換言すれば、前記引戸１３を上述のように吊戸としたからこそ、前記棚板１１の前端部を、前記引戸１３の前面よりも前方に突出させることができる。
したがって、前記棚板１１の上面は、前記引戸１３のためのレールがなく、段差のない比較的広い収納スペースとして利用することができる。
【００５０】
続いて、前記調整板１４は、上述のように幅寸法および高さ寸法が前記引戸１３と略等しく設定されている。
すなわち、前記調整板１４は、図２，図３に示すように、幅寸法が前記仕切板１２と前記一方の側壁部３との間隔と略等しく設定され、高さ寸法が前記最上段の棚板８と前記最下段の棚板１１との間隔と略等しく設定されている。また、その厚みは、前記開口枠７ａの前記洗面所１側への突出量よりも厚くなるように設定されている。
また、前記調整板１４は前記中央壁部２に対して固定されており、該中央壁部２の左上に配置されている。つまり、前記調整板１４は、正面視において前記開口部７と隣り合うようにして配置され、前記開口枠７ａに対して当接している。
【００５１】
また、前記洗面台４の天板４５ａと前記調整板１４との間には前記中央壁部２に接するようにして手元鏡１９が設けられている。
前記手元鏡１９は、前記天板４５ａと前記調整板１４との間に位置する前記中央壁部２の表面の全面にわたって設けられている。
また、この手元鏡１９の上端部は前記調整板１４の下端部に係合している。すなわち、前記調整板１４の下端部の前記中央壁部２側は前記手元鏡１９の厚み分だけ切り欠かれた状態となっており、該切欠部１４ａに前記手元鏡１９の上端部が嵌めこまれた状態となっている。
【００５２】
続いて、前記側板１５は、前記仕切板１２とともに前記複数段の棚板８，９，１０，１１を連結するためのものであり、図１，図３，図４に示すように、前記複数段の棚板８，９，１０，１１の前記一方の側壁部３側の端部に設けられている。
また、前記側板１５は、前記仕切板１２と同様に、前記複数段の棚板８，９，１０，１１のうち前記隣り合う棚板８，９間、前記隣り合う棚板９，１０間、前記隣り合う棚板１０，１１間に設けられている。すなわち、本実施の形態において前記側板１５は複数であり、前記隣り合う棚板８，９間、前記隣り合う棚板９，１０間、前記隣り合う棚板１０，１１間のそれぞれに一つずつ設けられている。これら複数の側板１５，１５，１５は上下方向に隣り合うように、かつ前記一方の側壁部３に沿って同一直線上に配置されている。
また、前記側板１５…は、その寸法・形状が前記仕切板１２…と略等しくなるように設定された矩形板材である。
【００５３】
さらに、これら複数の側板１５…は前記洗面台４の前記側板４０，４０のうち前記一方の側壁部３側の側板４０の上方に配置されている。
また、これら複数の側板１５…は、前記複数段の棚板８，９，１０，１１に対して固定されている。また、前記調整板１４に対しても固定されている。その固定方法は特に限定されるものではなく、ビス止め、接着、ダボ等による固定など様々な方法のうちのいずれを採用してもよい。
【００５４】
なお、前記側板１５を一枚とする場合には、前記複数段の棚板８，９，１０，１１との交差部分に互いに切欠部を形成するなどして、前記側板１５も、前記棚板８，９，１０，１１もそれぞれ一枚で済むように組む必要がある。
【００５５】
以上のような前記複数段の棚板８，９，１０，１１と、前記仕切板１２と、前記引戸１３と、前記調整板１４と、前記側板１５とを備える収納部は、箱物家具調の収納棚として構成されている。
また、前記収納棚は前記中央壁部２および前記両側壁部３，３に接する部分を除く表面に木目が表れている。
【００５６】
なお、本実施の形態において箱物家具調とは、天然木や化粧合板等による木目が表面に表れ、しかも箱状に形成されるとともに組立式等も含む完成品としてそれ自体で持ち運びが可能な箱状家具を模した状態を示している。
本実施の形態における前記収納棚は、前記複数段の棚板８，９，１０，１１や前記仕切板１２、前記引戸１３、前記調整板１４、前記側板１５等を現場である洗面所１で組み立てながら形成されるものであるため、単なる箱物家具とは構成が異なるものとなっている。また、前記洗面台４も同様に箱物家具調に構成されている。
【００５７】
本実施の形態によれば、前記複数段の棚板８，９，１０，１１は前記洗面台４の上方に前記両側壁部３，３間に架け渡されて配置されているので、前記中央壁部２に前記開口部７が形成されていても、また形成されていなくても前記洗面所１内に収納部を設けることができる。すなわち、前記中央壁部２と前記側壁部３，３と前記洗面台４とを備えていれば前記中央壁部２付近の構造が異なる他の洗面所であっても、共通して前記複数段の棚板８，９，１０，１１を設けることができるので汎用性に優れる。
さらに、前記中央壁部２に前記窓等の開口部７を設けたとしても、該開口部７の形状や開口枠７ａの大きさ、該開口部７が形成される前記中央壁部２の形状等に関わりなく、前記複数段の棚板８，９，１０，１１を前記両側壁部３，３間に架け渡すことができる。これによって、前記各部材８〜１５によって構成される前記収納部の構造の簡素化および省部材化を図ることが可能となる。
また、前記複数の仕切板１２…によって前記複数段の棚板８，９，１０，１１間の収納スペースを左右に仕切ることができるので、前記仕切板１２…の一方側を前記引戸１３で開閉できる箱状の収納部とすることができ、前記仕切板１２…の他方側をオープン型収納部とすることができる。
【００５８】
また、前記複数段の棚板８，９，１０，１１の前端部が前記仕切板１２…の前端部よりも前方に突出し、該突出した部分が前記レール取付部１７ａ，１８ａとされているので、前記引戸１３を前記複数段の棚板８，９，１０，１１の前端部側に設けた状態で前記複数段の棚板８，９，１０，１１の長さ方向に沿ってスライドさせることが可能となる。
また、前記仕切板１２…の前端部よりも前方に突出した位置に設けられる前記複数段の棚板８，９，１０，１１の前端部側に前記引戸１３が設けられるため、前記引戸１３の後面と前記仕切板１２…の前端部との間に前記隙間Ｓを形成することができる。これによって、前記引戸１３で前記仕切板１２…の一方側の収納スペースを閉塞したとしても内部に通気できる。
【００５９】
また、前記引戸１３の両側端部の後面に引手１３ｄ，１３ｄが設けられているので、前記引戸１３の後面と前記仕切板１２…の前端部との間の前記隙間Ｓから手指を差し入れ、指先を前記引手１３ｄ，１３ｄに引っ掛けるようにして前記引戸１３のスライド操作を行うことができる。
これによって、例えば前記引戸１３の鏡面１３ａに手を触れて該引戸１３を操作する場合に比して、前記引戸１３の操作を容易に行うことができる。さらに、前記鏡面１３ａに触れることなく前記引戸１３をスライドさせることができるので、指紋等の汚れが付きにくく、外観性に優れる。
【００６０】
また、前記最下段の棚板１１の直上に位置する棚板１０の前端部が前記レール取付部１８ａとされているので、前記引戸１３は、前記最下段の棚板１１によって支持されるのではなく、前記最上段の棚板８と前記下から二番目の棚板１０によって吊られる吊戸として機能することになる。より詳細に説明すると、前記引戸１３は前記最上段の棚板８によって吊られ、前記下から二番目の棚板１０によって振れ止めがなされる。
これによって、前記引戸１３の前面よりも前方に突出する前記最下段の棚板１１の前端部を、例えば物を置くためのスペースや物を掛けるためのスペースとして利用できるので、機能性に優れる。また、前記最下段の棚板１１の上面を段差がない比較的広い収納スペースとして利用することができる。
さらに、前記レール１７が前記最上段の棚板８の上面に設けられ、前記レール１８が前記下から二番目の棚板１０の下面に設けられているので、前記レール１７，１８自体が視界に入りにくくなるので、外観性に優れる。
【００６１】
また、前記最下段の棚板１１は、前記仕切板１２…の他方側の部位１１ｂが前記仕切板１２…の一方側の部位１１ａに対して着脱自在に構成されているので、前記洗濯機５０の洗濯物出し入れ口５０ａの向きに応じて前記最下段の棚板１１の前記他方側の部位１１ｂを取り外したり、取り付けたりすることができる。
すなわち、前記洗濯機５０の洗濯物出し入れ口５０ａが上端部に設けられる場合には前記最下段の棚板１１の前記他方側の部位１１ｂを取り外せば、洗濯物の出し入れが容易になる。また、前記洗濯機５０の洗濯物出し入れ口５０ａが前面側に設けられる場合には前記最下段の棚板１１の前記他方側の部位１１ｂを取り付けておくことで、該他方側の部位１１ｂの上面を収納スペースとして利用することができる。
【００６２】
また、前記調整板１４によって前記複数段の棚板８，９，１０，１１の後端部と前記中央壁部２との間に隙間を形成できるので、前記中央壁部２のうち前記隙間が形成される部位に前記窓等の開口部７を設けたとしても、該窓７（建具７ｂ，７ｂ）の開閉も容易に行うことができ、前記開口部７に設けられる前記開口枠７ａと前記複数段の棚板８，９，１０，１１とが干渉し合うことも防ぐことができる。また、このように前記中央壁部２に前記開口部７を形成できれば、前記洗面所１の採光性を向上できるので好ましい。
【符号の説明】
【００６３】
１  洗面所
２  中央壁部
３  側壁部
４  洗面台
８  棚板
９  棚板
１０  棚板
１１  棚板
１２  仕切板
１３  引戸
１３ａ  鏡面
１４  調整板
【図１】
2014068993.tif 000003
【図２】
2014068993.tif 000004
【図３】
2014068993.tif 000005
【図４】
2014068993.tif 000006
【図５】
2014068993.tif 000007
【図６】
2014068993.tif 000008